(57)【要約】【課題】  本発明は魚釣用スピニングリールに係り、糸絡み時等の糸傷の発生を防止し、併せて釣糸案内機構の組込み作業性の向上を図った魚釣用スピニングリールを提供することを目的とする。【解決手段】  ハンドル操作に連動回転するロータの支持アームに取り付くベール支持部材と、該ベール支持部材に対向配置され、ベールが一体的に形成されたラインスライダーとの間に、軸受を介してラインローラを回転自在に支持する支軸を装着した魚釣用スピニングリールに於て、前記支軸の基部側に第１係止部を形成し、該支軸の挿入側先端に第２係止部を形成して、該支軸を前記第１係止部を介して前記ベール支持部材に回り止め係止すると共に、前記第２係止部を介して支軸を前記ラインスライダーに回り止め係止し、該ラインスライダー側から止めねじを前記支軸に設けた雌ねじ部に螺着して、該支軸を前記ベール支持部材とラインスライダーとの間に回り止め固定した。【選択図】    図５
2009278915.tif 000002
【特許請求の範囲】
【請求項１】
ハンドル操作に連動回転するロータの支持アームに取り付くベール支持部材と、該ベール支持部材に対向配置され、ベールが一体的に形成されたラインスライダーとの間に、軸受を介してラインローラを回転自在に支持する支軸を装着した魚釣用スピニングリールに於て、
前記支軸の基部側に第１係止部を形成し、該支軸の挿入側先端に第２係止部を形成して、該支軸を前記第１係止部を介して前記ベール支持部材に回り止め係止すると共に、前記第２係止部を介して支軸を前記ラインスライダーに回り止め係止し、
該ラインスライダー側から止めねじを前記支軸に設けた雌ねじ部に螺着して、該支軸を前記ベール支持部材とラインスライダーとの間に回り止め固定したことを特徴とする魚釣用スピニングリール。
【発明の詳細な説明】
【技術分野】
【０００１】
本発明は魚釣用スピニングリールに係り、詳しくはロータに設けた一対の支持アームの先端に釣糸巻取り位置と釣糸放出位置とに反転自在に装着され、釣糸をスプールに案内する魚釣用スピニングリールの釣糸案内機構に関する。
【背景技術】
【０００２】
従来周知のように魚釣用スピニングリール（以下、「スピニングリール」という）は、ロータに設けた一対の支持アームの先端に、一対のベール支持部材を介して半環状のベールが釣糸巻取り位置と釣糸放出位置とに反転自在に取り付けられている。
【０００３】
そして、ベール支持部材の一方にスプールに釣糸を案内するラインローラ（釣糸案内部）が装着されており、両ベール支持部材を介してベールを釣糸放出位置へ倒して仕掛けを投擲すると、スプールに巻回された釣糸がスパイラル状に繰り出され、また、ハンドルの巻取り操作に伴いベールを釣糸巻取り位置へ反転させると、釣糸がベールからラインローラに案内されて、ロータの回転に連動して前後方向へ往復動するスプールに釣糸が巻回されるようになっている。そして、釣糸案内時の抵抗を減らしてスプールへの釣糸の案内性を向上させるため、従来、ラインローラは軸受を介して回転自在に支持されている。
【０００４】
図６は特許文献１に開示されたスピニングリールの釣糸案内機構を示し、この従来例は、ベール１とラインスライダー３を一体に形成し、一対の軸受５を介してラインローラ７を回転自在に支持する支軸（固定軸）９をラインスライダー３側に設けた凹部１１より挿入して、該支軸９を支持アームの先端に軸支したベール支持部材（アームレバー）１３とラインスライダー３とに回り止め係止した後、ベール支持部材１３側から止めねじ１５を前記支軸９の雌ねじ部１７に螺着した構造となっている。
【０００５】
而して、前記釣糸案内機構１９によれば、支軸９の回り止め構造によりベール１とベール支持部材１３との相対位置が安定化して、巻取り回転時のロータのダイナミックバランスを維持することが可能となった。
【特許文献１】特開２００５−１７６７１４号公報
【発明の開示】
【発明が解決しようとする課題】
【０００６】
しかし、前記釣糸案内機構１９はベール支持部材１３に釣糸が絡まった際に、止めねじ１５のビット部分に釣糸が当たって釣糸に傷が付き易い欠点があった。そして、糸絡みを回避するために止めねじ１５の寸法を低くする（沈める）と、ベール支持部材１３側が大型化してロータバランスが悪くなってしまう不具合が指摘されていた。
【０００７】
また、既述したように前記釣糸案内機構１９は、ベール支持部材１３側から止めねじ１５を支軸９の雌ねじ部１７に螺着させる構造上、組み込みの際に、ベール１を有するラインスライダー３側を受ける状態でねじ止めしなければならないために、組込み作業時に安定せず、作業性が悪いのが実情であった。
【０００８】
本発明は斯かる実情に鑑み案出されたもので、糸絡み時等の糸傷の発生を防止し、併せて釣糸案内機構の組込み作業性の向上を図ったスピニングリールを提供することを目的とする。
【課題を解決するための手段】
【０００９】
斯かる目的を達成するため、請求項１に係る発明は、ハンドル操作に連動回転するロータの支持アームに取り付くベール支持部材と、該ベール支持部材に対向配置され、ベールが一体的に形成されたラインスライダーとの間に、軸受を介してラインローラを回転自在に支持する支軸を装着したスピニングリールに於て、前記支軸の基部側に第１係止部を形成し、該支軸の挿入側先端に第２係止部を形成して、該支軸を前記第１係止部を介して前記ベール支持部材に回り止め係止すると共に、前記第２係止部を介して支軸を前記ラインスライダーに回り止め係止し、該ラインスライダー側から止めねじを前記支軸に設けた雌ねじ部に螺着して、該支軸を前記ベール支持部材とラインスライダーとの間に回り止め固定したことを特徴とする。
【発明の効果】
【００１０】
請求項１に係る発明によれば、糸絡み時の糸傷の発生を確実に防止することが可能となった。
【００１１】
また、組み込みの際に、ラインスライダー側から止めねじを支軸の雌ねじ部に螺着させる構造上、ベールのないベール支持部材を受ける状態でねじ止め固定できるため、従来に比し組込み作業時の安定性が向上する利点を有する。
【発明を実施するための最良の形態】
【００１２】
以下、本発明の実施形態を図面に基づいて詳細に説明する。
【００１３】
図１は請求項１の一実施形態に係るスピニングリールを示し、図中、２１はスピニングリール２３のリール本体で、リール本体２１の前側にフライヤ軸２５を介してロータ２７が回転可能に軸着されており、ロータ２７にはこれと一体に一対の支持アーム２９がリール本体２３の前後方向に形成されている。
【００１４】
そして、一方の支持アーム２９の先端に、ベール支持部材（アームレバー）３１が釣糸巻取り位置と釣糸放出位置とに反転自在に取り付けられており、図２に示すように該ベール支持部材３１に、後述する支軸３３を介してラインスライダー３５が対向して連結されている。そして、前記ラインスライダー３５に、ベール３７の一端側がなだらかな曲線によって一体的（一体形成または別体に形成して接着，溶着等によって一体化）に形成されており、ベール３７の他端側は、他方の支持アーム２９の先端に取り付くベール支持部材（ベールホルダー）になだらかな曲線によって同じく一体的に形成されている。
【００１５】
更に、図１に示すようにリール本体２１には、ロータ２７と同軸上にスプール３９が装着されており、スプール３９は、リール本体２１にトラバース運動可能に取り付くスプール軸４１の先端にナットを介して螺着されている。そして、リール本体２１の一側部に釣糸巻取用のハンドル４３が装着されており、ハンドル４３のハンドル軸４５とロータ２７は、駆動歯車４７やピニオン４９からなる周知のギヤ機構を介して連繋され、また、スプール軸４１は、その後端部に固着した摺動子５１やトラバースカム軸５３等からなるトラバース機構５５により、ロータ２７の回転に連動してリール本体２１の前後方向へ往復動するようになっている。
【００１６】
そして、図２に示すように前記支軸３３に、一対の軸受５７，５９を介してラインローラ６１が回転可能に支持されており、ベール３７を釣糸放出位置へ倒して仕掛けを投擲すると、スプール３９に巻回された釣糸がスパイラル状に繰り出される。
【００１７】
また、図１に示すようにリール本体２１に一体成形された脚部６３の前側基部には、釣糸放出側に位置するベール支持部材３１を釣糸巻取り位置に反転させるローラ状の反転部材６５が回転可能に装着されており、ハンドル４３の巻取り操作に伴い、ロータ２７と共に回転するベール支持部材３１が前記反転部材６５に衝突して釣糸巻取り位置に反転し、ベール３７が釣糸巻取り位置へ反転する。そして、斯様にベール３７が釣糸巻取り位置へ反転すると、釣糸がベール３９からラインスライダー３５を介して前記ラインローラ６１に案内されて、ラインローラ６１の釣糸案内部６７からスプール３９に釣糸が案内されるようになっている。
【００１８】
このように本実施形態に係るスピニングリール２３も、前記ベール支持部材３１や支軸３３、ラインスライダー３５、ベール３７、軸受５７，５９、ラインローラ６１等からなる釣糸案内機構６９を備えているが、本実施形態は、糸絡み時等の糸傷の発生を防止し、併せて釣糸案内機構６９の組込み作業性の向上を図るため、以下の特徴を有する。
【００１９】
図２及び図５に示すように一対の軸受５７，５９を介してラインローラ６１を回転自在に支持する支軸３３は、その挿入側先端３３ａをベール支持部材３１の外方から該ベール支持部材３１に設けた挿入孔７１へ挿入して、ラインスライダー３５側に設けた凹部７２内の挿入孔７３に挿入させた後、ラインスライダー３５側から止めねじ７５を支軸３３に設けた雌ねじ部７７に螺着させて固定する構造となっているが、図２及び図３に示すように支軸３３の基部３３ｂ側には、円筒状の外周に平行な２つのスリ割りを入れて第１係止部７９が形成され、これに合わせて前記挿入孔７１の開口部に係止部８１が設けられている。
【００２０】
また、図２及び図４に示すように支軸３３の挿入側先端３３ａにも、円筒状の外周に平行な２つのスリ割りを入れて第２係止部８３が形成され、これに合わせて前記挿入孔７３の内周に係止部８５が設けられている。
【００２１】
このように、支軸３３の第１，２係止部７９，８３を係止部８１，８５に回り止め係止させて、ラインスライダー３５側から止めねじ７５を支軸３３の雌ねじ部７７に螺着させる支軸３３の回り止め固定構造によって、ベール３７とベール支持部材３１との相対位置が安定化している。
【００２２】
尚、図２に示すように支軸３３の頭部３３ｃは、支軸３３の締め付け後にベール支持部材３１の外形形状と略面一な平坦な形状、またはベール支持部材３１の外形形状に沿った段差の極力少ない曲面形状とされ、挿入孔７１の開口部との間に僅かな隙間が空く程度に設計されている。また、止めねじ７５の頭部７５ａは、ラインスライダー３５から外方へ突出することなく凹部７２内に収納されている。
【００２３】
図２に示すようにラインローラ６１は中空な筒体形状からなり、その外周面の釣糸案内部６７は、ラインスライダー３５側からベール支持部材３１側へ順次小径となるテーパ状に形成されている。そして、ラインローラ６１の両端周縁部に、釣糸の巻取り操作時に糸道を安定させる環状のガイド部８７，８９が突設され、ラインローラ６１の内周面は軸方向にストレートな筒状の曲面とされている。
【００２４】
一方、前記軸受５７，５９は、筒状のスペーサ９１を挟んで支軸３３の軸方向に分離配置されており、軸受５７，５９の内輪の対向端がスペーサ９１に夫々当接している。そして、軸受５７，５９と支軸３３との間に、ナイロンやポリエチレンテフタレート等の樹脂やアルミ等の加工し易い金属で形成された中空な筒状の内側カラー９３が装着されている。
【００２５】
図２及び図５に示すように内側カラー９３は、略同一形状に形成された一対の筒状の分割カラー９５，９７からなり、両分割カラー９５，９７の外端側外周には、夫々、外方へ突出する環状の係止部９９，１０１が一体に形成され、各係止部９９，１０１の内側に軸受５７，５９の内輪が夫々係止している。そして、既述したように軸受５７，５９の内輪の対向端がスペーサ９１に当接しており、スペーサ９１は内側カラー９３の外周に環装されている。斯かる構造によって、支軸３３の軸方向への軸受５７，５９の移動が規制されている。
【００２６】
更に、軸受５７，５９とラインローラ６１との間に、前記内側カラー９３と同一材料で形成された中空な筒状の外側カラー１０３が装着されている。
【００２７】
図２及び図５に示すように外側カラー１０３も、同一形状に形成された一対の筒状の分割カラー１０５，１０７で構成されており、両分割カラー１０５，１０７の突合せ側端部には、内方へ突出する環状の係止部１０９，１１１が形成され、該係止部１０９，１１１に軸受５７，５９の外輪の対向端が夫々係止している。そして、分割カラー１０５，１０７の他端側外周には段部１１３，１１５が設けられており、各段部１１３，１１５にゴム製の同一形状のシール部材１１７，１１９が夫々取り付けられている。
【００２８】
シール部材１１７，１１９は皿状に形成され、中央に内側カラー９３の挿通孔１２１，１２３が設けられており、挿通孔１２１，１２３の周縁部が夫々内側カラー９３（分割カラー９５，９７）の外周に摺接して、軸受５７，５９への防水，防塵を図っている。
【００２９】
また、シール部材１１７，１１９の外周縁部には、先端に前記段部１１３，１１５に係止可能な係止片１２５，１２７が内方へ突設された短寸な筒状部１２９，１３１が支軸３３に沿って一体に設けられている。そして、図２及び図５に示すように前記外側カラー１０３（分割カラー１０５，１０７）に筒状部１２９，１３１を被せて段部１１３，１１５に係止片１２５，１２７を係止すると、シール部材１１７，１１９がラインローラ６１の両端部に沿って接触し、前記周縁部１２１，１２３が分割カラー９５，９７の外周に摺接するようになっている。
【００３０】
本実施形態はこのように構成されているから、釣糸案内機構６９の組付けに当たり、図６の従来例と異なり、図５に示すように本実施形態は、支軸３３をベール支持部材３１の外方から該ベール支持部材３１に設けた挿入孔７１へ挿入することとなる。
【００３１】
そして、前記第１係止部７９と第２係止部８３を、夫々、前記係止部８１，８５に回り止め係止させて、ラインスライダー３５側から止めねじ７５を支軸３３の雌ねじ部７７に螺着させることで、支軸３３がベール支持部材３１とラインスライダー３５との間に回り止め固定され、この支軸３３の回り止め構造によってベール３７とベール支持部材３１との相対位置が安定する。
【００３２】
また、図６の釣糸案内機構１９では、ベール支持部材１３に釣糸が絡まった際に、止めねじ１５のビット部分に釣糸が当たって釣糸に傷が付く欠点があったが、本実施形態の釣糸案内機構６９は、ラインスライダー３５側から止めねじ７５を支軸３３の雌ねじ部７７に螺着させ、而も、止めねじ７５の頭部７５ａがラインスライダー３５から外方へ突出することなく凹部７２内に収納され、更に、支軸３３の頭部３３ｃがベール支持部材３１の外形形状と略面一な平坦な形状（またはベール支持部材３１の外形形状に沿った段差の極力少ない曲面形状）とされて、挿入孔７１の開口部との間に僅かな隙間が空く程度に設計されていることも相俟って、ベール支持部材３１に釣糸が絡まっても釣糸に糸傷を発生させることがない。
【００３３】
従って、本実施形態によれば、糸絡み時の糸傷の発生を確実に防止することが可能となった。
【００３４】
また、既述したように本実施形態は、ラインスライダー３５側から止めねじ７５を支軸３３の雌ねじ部７７に螺着させる構造上、組み込みの際に、ベール３７のないベール支持部材３１を受ける状態でねじ止め固定できるため、図６の従来例に比し組込み作業時の安定性が向上する利点を有する。
【図面の簡単な説明】
【００３５】
【図１】請求項１の一実施形態に係るスピニングリールの一部切欠き側面図である。
【図２】釣糸案内機構の断面図である。
【図３】図２のIII−III線断面図である。
【図４】図２のIV−IV線断面図である。
【図５】支軸の取付方法を示す釣糸案内機構の断面図である。
【図６】従来の釣糸案内機構の断面図である。
【符号の説明】
【００３６】
２１  リール本体
２３  スピニングリール
２７  ロータ
２９  支持アーム
３１  ベール支持部材（アームレバー）
３３  支軸
３３ａ  挿入側先端
３３ｂ  基部
３３ｃ  頭部
３５  ラインスライダー
３７  ベール
３９  スプール
４１  スプール
４３  ハンドル
５５  トラバース機構
５７，５９  軸受
６１  ラインローラ
６９  釣糸案内機構
７１，７３  挿入孔
７５  止めねじ
７７  雌ねじ部
７９  第１係止部
８１，８５  係止部
８３  第２係止部
９１  スペーサ
９３  内側カラー
９５，９７，１０５，１０７  分割カラー
９９，１０１，１０９，１１１  係止部
１０３  外側カラー
１１３，１１５  段部
１１７，１１９  シール部材
１２５，１２７  係止片
【図１】
2009278915.tif 000003
【図２】
2009278915.tif 000004
【図３】
2009278915.tif 000005
【図４】
2009278915.tif 000006
【図５】
2009278915.tif 000007
【図６】
2009278915.tif 000008